(57)【要約】【課題】赤外線信号送信装置を様々な姿勢で使用するユーザであっても、赤外線信号送信装置側の消費電力を低減できるよう設定することができるリモコン装置の提供を目的とする。【解決手段】赤外線信号送信装置２０は、赤外線発光部１６の消費電力の調整を行う発光強度調整手段１５と、発光強度調整手段による赤外線発光部の消費電力の調整量を選択する操作受付け手段１１、１２を有し、赤外線受光装置３０は、発光強度調整手段１５により調整された赤外線信号の放射強度を基にしきい値と比較し、上記しきい値との比較結果を基に受け入れた赤外線信号を操作信号と判定する操作信号判定手段４３ａと、操作信号判定手段４３ａの判定を基に、上記操作受付け手段が受け付ける操作を、画面上で確認しながら実行できるよう赤外線強度判定画面を表示する表示手段４３ａとを有する。【選択図】図２
2008066774.tif 000002
【特許請求の範囲】
【請求項１】
光源からの光を基に映像を生成して投射する光学系と、
入出力端子を介して映像信号を受け入れるとともに、上記光学系を制御するマイコンと、
上記マイコンが所定の制御を行うためのプログラムを記録するＥＥＰＲＯＭと、
操作キーの操作により受け入れた指示を基に赤外線発光部を発光させるための赤外線発光用信号を生成し、上記赤外線発光用信号を基に赤外線発光部を所定の周期で発光させて送信する赤外線信号送信装置と、上記赤外線信号送信装置から送信される赤外線信号を所定の電圧を有する操作信号に変換し、上記マイコンに出力する赤外線受光装置とから成るリモコン装置とを有するプロジェクタ装置において、
上記赤外線信号送信装置は、上記赤外線発光用信号を入力端子から受け入れるとともに、受け入れた上記赤外線発光用信号の値に基づいて出力信号を出力する出力端子を切り替える制御用ＩＣと、上記制御用ＩＣの各出力端子と互いに異なる抵抗を介して、上記赤外線発光部と接続する印加電圧切り替え部とから成り、受け入れた上記操作キーの操作に基づいて上記赤外線発光部に出力する赤外線発光用信号の電圧値を切り替える発光強度調整回路を有し、
上記ＥＥＰＲＯＭは、上記マイコンが受け入れた赤外線信号の強度を画面上で判定するための赤外線強度判定プログラムを記録し、
上記マイコンは、上記赤外線強度判定プログラムを基に上記発光強度調整回路により調整された赤外線信号を基に生成された操作信号をしきい値と比較し、上記操作信号が上記しきい値以上である場合は、上記赤外線受光装置が受け入れた赤外線信号を操作信号として判定するとともに、
上記操作キーによる上記赤外線発光部の消費電力の調整を、画面上で視覚的に確認しながら実行できるよう、上記マイコンが操作信号と判定したことを表す赤外線強度判定画面を表示するよう指示を出すことを特徴とするプロジェクタ装置。
【請求項２】
操作信号としての赤外線信号を送信する赤外線発光部を有する赤外線信号送信装置と、  上記赤外線信号送信装置が遠隔操作を行うための操作対象装置に実装されて、上記赤外線信号送信装置からの赤外線信号を操作信号に変換して上記操作対象装置の操作を行う赤外線受光装置とを有するリモコン装置において、
上記赤外線信号送信装置は、上記赤外線発光部の消費電力の調整を行う発光強度調整手段と、ユーザからの操作を受け付けて上記発光強度調整手段による赤外線発光部の消費電力の調整量を選択する操作受付け手段を有するとともに、
上記赤外線受光装置は、上記発光強度調整手段により調整された赤外線信号の放射強度を基にしきい値と比較し、上記しきい値との比較結果を基に受け入れた赤外線信号を操作信号と判定する操作信号判定手段と、
上記操作信号判定手段の判定を基に、上記操作受付け手段が受け付ける操作を、画面上で確認しながら実行できるよう赤外線強度判定画面を表示する表示手段とを有することを特徴とするリモコン装置。
【請求項３】
上記操作信号判定手段は、上記赤外線信号送信装置から送信される上記赤外線信号を所定回数受信し、受信した上記赤外線信号の内、操作信号と判定される割合を基に上記赤外線信号の強度を判定することを特徴とする請求項２に記載のリモコン装置。
【請求項４】
上記表示手段は、上記操作信号判定手段の判定に基づいて、赤外線強度判定画面として赤外線信号の受光状態を画面上に表示することを特徴とする請求項２〜請求項３のいずれかに記載のリモコン装置。
【請求項５】
上記表示手段は、上記操作信号判定手段の判定結果に基づいて、上記操作信号判定手段が上記赤外線信号を操作信号と判定したことを表す判定音を発することを特徴とする請求項２〜請求項４のいずれかに記載のリモコン装置。
【請求項６】
上記発光強度調整手段はアッテネータを用いることで、赤外線発光部に印加する電圧の値を調整して消費電力を低減することを特徴とする請求項２〜請求項５のいずれかに記載のリモコン装置。
【発明の詳細な説明】
【技術分野】
【０００１】
本発明は、リモコン装置に関し、特に、消費電力を低減するリモコン装置に関する。 
【背景技術】
【０００２】
テレビジョン装置等の家電製品の遠隔操作を行う方法として従来図９のようなリモコン装置が知られている。図９は従来のリモコン装置と受信側のブロック構成図である。同図より、リモコン装置３は、赤外線信号送信装置１と赤外線受光部２とから構成されている。赤外線信号送信装置１は、ユーザからの押圧操作を受け付ける操作キーが配置された操作パット１ａ。操作パット１ａが受け入れた押圧操作に基づいて、所定のアナログ電圧を生成するキー入出力部１ｂ、キー入出力部１ｂが生成したアナログ電圧をディジタル信号に変換するアナログ／ディジタル変換回路１ｃ、アナログディジタル変換回路１ｃが生成したディジタル信号を受けて赤外線発光部１ｄを発光させるための制御部１ｅ、制御部１ｅからの出力電圧を基に、赤外線信号を出力する赤外線発光部１ｄとを有する構成である。
【０００３】
また、赤外線信号送信装置１から送信された赤外線信号は、受信側４の赤外線受光部２に出力され赤外線信号からパルス波に再度変換を行う。赤外線受光部２は、赤外線信号を受信して所定のパルス波に変換する赤外線受光部２ａと、赤外線受光部２ａが変換したパルス波に増幅、検波、波形成形等の信号処理を行う受信用ＩＣ２ｂとを有する構成である。リモコン受信部２にて生成されたパルス波は、受信側３のメインマイコン４ａに出力され、メインマイコン４ａを介して受信側３の操作を行う。
【０００４】
上述した赤外線信号送信装置１の電源は乾電池等が使用されている。また、現在家電製品は消費電力の低減が叫ばれており、リモコン装置３もより消費電力が少ないものが望まれている。リモコン装置３の部品の中で消費電力がもっとも高いものは赤外線発光部１ｄである。しかしながら、赤外線発光部１ｄは赤外線を発光するためにＬＥＤランプを使用しており、ＬＥＤランプは印加される電圧の値によって送信する赤外線の強度が変化し、受信部２までの距離が遠ければそれだけ放射強度を必要とする。この場合、放射強度は赤外線信号送信装置１から赤外線受光部２に放射された赤外線のエネルギーであり、赤外線信号送信装置１と赤外線受光部２との距離が離れていれば赤外線受光部２が赤外線を受光するため放射強度は強い必要がある。逆に赤外線信号送信装置１と赤外線受光部２との距離が近い場合は少ない放射強度であれば十分である。しかしながら、赤外線発光部１ｄから放射される赤外線の放射強度は固定されており可変ではない。そのため、従来ではメーカー側で予め必要な最大放射強度を設定しておき、通常使用する範囲での赤外線信号送信装置１と赤外線受光部２との距離に対応できるようにしていた。
【０００５】
上述したリモコン装置１の赤外線発光部１ｄでの無駄なエネルギーを削減する方法として以下の技術が開示されている。つまり、赤外線信号送信装置１に赤外線発光部１ｄの発光量を可変する送光強度設定部を設け、また赤外線受光部２には赤外線信号送信装置１から受けた赤外線信号を基に受光強度データ等を作成する赤外線通信用ＣＰＵとを有し、赤外線通信用ＣＰＵから送信されたデータに基づいて赤外線信号送信装置１が赤外線の放射強度を自動で調整する。（例えば、特許文献１参照。）。
【０００６】
また、同様に赤外線の放射強度を変更する方法としては、赤外線信号送信装置１に、制御部１ｅと赤外線発光部１ｄとの間に可変抵抗を用いた回路を接続し、上記可変抵抗の抵抗量を赤外線信号送信装置１の操作キー側に配置されたつまみにより調整できる調整手段を有している。これにより、赤外線発光部１ｄに供給される電流量を調整手段により調整し放射強度の可変を行う（例えば、特許文献２参照。）。
【０００７】
【特許文献１】特開平０３−１８１２９５
【特許文献２】特開平０４−３６４６９５
【発明の開示】
【発明が解決しようとする課題】
【０００８】
上述した特許文献１の発明は、次のような課題があった。つまり、赤外線受光部のデータに基づいて赤外線信号送信装置が赤外線の放射強度を自動で行うため、ユーザ個々の嗜好に対応した調整ができない。具体的には、放射強度の設定時における赤外線信号送信装置の傾き角が、その後の赤外線信号送信装置の使用方法に影響を与えることとなる。図１０は、赤外線信号送信装置の傾き角に関係して受信側に受光される赤外線信号の放射強度を表す図である。同図より、赤外線信号送信装置から受信側までの直線距離をＬとした場合、送信側の傾き角αの場合の赤外線の直線距離Ｌ２は、
Ｌ２＝Ｌ＊ｃｏｓα…（１）
である。そのため、傾き角αの増加に応じて赤外線信号送信装置から放射される赤外線信号が受信側に到達するための直線距離も増加していき、送信側と受信側との距離が同じで距離であっても赤外線信号送信装置の傾きによって赤外線信号の直線距離は変化する。これにより赤外線信号送信装置と赤外線受光部との距離が同じあった場合でも、赤外線信号送信装置の傾き角αに伴い、赤外線受光部が必要とする赤外線の放射強度も変化することとなる。
【０００９】
そのため、ユーザが特許文献１の発明を用いた場合発生する具体的な問題点として以下の場合が挙げられる。ユーザが赤外線信号送信装置の傾き角αを受信側の設置面に対して略水平にして赤外線信号を送信をし消費電力の低減の自動設定を行う。このとき、赤外線信号の放射強度は直線距離Ｌに対応した強度に自動的に設定される。この状態でユーザが放射強度を設定した位置と同じ位置で、赤外線信号送信装置を例えば６０度に傾けて受信側に赤外線信号を送信すると、上述した計算式（１）より放射強度は弱くなり、極端な場合では送信された赤外線信号を赤外線受光部は操作信号と判定することができない場合が発生する。このような状態では、ユーザは赤外線信号送信装置を略水平に傾けて操作し直すか、受信装置との距離を短くして再度赤外線信号を送る必要があった。このことはユーザの自由な姿勢での利用を制限することとなり、煩わしさを感じさせる原因となる。
【００１０】
さらに、赤外線信号送信装置と赤外線受光部が自動で制御を行うためには、赤外線信号送信装置に赤外線受光部からの信号を受信するための装置を実装させる必要が生じる。そのような場合、当然赤外線信号送信装置に実装された装置は電力を消費し、これは赤外線信号を送信する作用以外の余計な電力を消費することとなる。このことは赤外線信号送信装置側の消費電力を低減する目的と矛盾を生じさせる。
【００１１】
また、特許文献２の発明は、次のような課題がった。送信側に調整手段を設けているだけなので、赤外線信号の放射強度を調整するたびにユーザが調整の試行錯誤する必要がある。つまり、送信側の放射強度を調整するための指針が存在しないため、調整手段を操作するのに大変な労力を必要とし、ユーザに煩わしさを感じさせる原因となる。
【００１２】
本発明は、上記課題にかんがみてなされたもので、赤外線信号送信装置を様々な姿勢で使用するユーザであっても、様々な姿勢に対応した赤外線信号送信装置側の消費電力を低減できるよう設定することができるリモコン装置の提供を目的とする。
【課題を解決するための手段】
【００１３】
また、上記目的を達成するために、請求項２に記載の発明では、操作信号としての赤外線信号を送信する赤外線発光部を有する赤外線信号送信装置と、上記赤外線信号送信装置が遠隔操作を行うための操作対象装置に実装されて、上記赤外線信号送信装置からの赤外線信号を操作信号に変換して上記操作対象装置の操作を行う赤外線受光装置とを有するリモコン装置において、
上記赤外線信号送信装置は、上記赤外線発光部の消費電力の調整を行う発光強度調整手段と、ユーザからの操作を受け付けて上記発光強度調整手段による赤外線発光部の消費電力の調整量を選択する操作受付け手段を有するとともに、上記赤外線受光装置は、上記発光強度調整手段により調整された赤外線信号の放射強度を基にしきい値と比較し、上記しきい値との比較結果を基に受け入れた赤外線信号を操作信号と判定する操作信号判定手段と、上記操作信号判定手段の判定を基に、上記操作受付け手段が受け付ける操作を、画面上で確認しながら実行できるよう赤外線強度判定画面を表示する表示手段とを有する構成としてある。
【００１４】
上記のように構成した請求項２にかかる発明において、赤外線信号送信装置は操作受付け手段にて受け入れた調整量を基に発光強度調整手段は赤外線発光部の消費電力の調整を行う。そのため、赤外線信号送信装置側の赤外線発光部の消費電力の調整を視覚的に確認しながら実行するために、赤外線受光装置は表示手段にて赤外線信号の受信状態を可視可能に表示を行う。このとき、表示手段が赤外線信号の受信状態を表示するために、操作信号判定手段にて赤外線信号送信装置から受け入れた赤外線信号をしきい値と比較し受信状態の判定を行う。
【００１５】
このような、リモコン装置によれば、表示手段により表示された映像を目安として、ユーザは赤外線信号送信装置の赤外線発光部の消費電力の調整を行う。このため、赤外線発光部の消費電力の調整の際、赤外線信号送信装置の傾きの違いによる赤外線信号の強度の違いにも柔軟に対応することが可能となる。さらに、赤外線受光装置により判定された結果を赤外線信号送信装置が受信しないため、赤外線信号送信装置側に信号を受信するための装置を必要としないので余分な電力を消費することもない。
【００１６】
操作信号判定手段が赤外線信号を操作信号と判定する方法の一例として、請求項３にかかる発明では、上記操作信号判定手段は、上記赤外線信号送信装置から送信される上記赤外線信号を所定回数受信し、上記受信した赤外線信号の内操作信号と判定される割合を基に上記赤外線信号の強度を判定する構成としてある。
【００１７】
上記のように構成した請求項３にかかる発明において、操作信号判定手段は、赤外線信号を所定回数受信し、受信した赤外線信号の内、操作信号と判定される割合を基に赤外線信号の受信状態を判定する。そのため、赤外線信号の強度の判定基準を柔軟に変更することが可能となる。
【００１８】
さらに、表示手段が表示する画面の一例として、請求項４にかかる発明では、上記表示手段は、上記操作信号判定手段の判定に基づいて赤外線強度判定画面として赤外線信号の受光状態を画面上に表示する構成としてある。
上記のように構成した請求項４にかかる発明において、表示手段は操作信号判定手段の判定結果に基づいて、画面上に赤外線強度判定画面を表示する。上記赤外線信号強度判定画面を基に、ユーザは受光状態を確認し赤外線信号送信装置の操作受付け手段を操作し送信強度調整手段を調整する。これにより、赤外線強度判定画面が赤外線信号の強度を調整するための目安となるため、調整を的確に行うことが可能となる。
【００１９】
さらに、表示手段の他の一例として請求項５にかかる発明は、上記表示手段は、上記操作信号判定手段の判定結果に基づいて、上記操作信号判定手段が上記赤外線信号を操作信号と判定したことを表す判定音を発する構成としてある。
上記のように構成した請求項５にかかる発明において、表示手段は赤外線信号送信装置から送信された赤外線信号の受信状況を判定音を鳴らすことで表現する。これにより、画面上にわざわざ操作画面を表示することなく、判定音にて受信状況の確認作業を行うことが可能となるため、確認作業を迅速に行うことが可能となる。
【００２０】
さらに、発光強度調整手段の具体的な構成の一例として請求項６にかかる発明は、上記発光強度調整手段はアッテネータを用いることで、赤外線発光部に印加する電圧の値を調整して消費電力を低減する構成としてある。
上記のように構成した請求項６にかかる発明において、赤外線発光部を発光させるために印加された電圧は、発光強度調整手段のアッテネータにより電圧値を調整されて赤外線発光部に出力される。
【００２１】
さらに上記課題を解決するための具体的な構成の一例として、本発明の請求項１にかかる発明では、光源からの光を基に映像を生成して投射する光学系と、入出力端子を介して映像信号を受け入れるとともに、上記光学系を制御するマイコンと、上記マイコンが所定の制御を行うためのプログラムを記録するＥＥＰＲＯＭと、操作キーの操作により受け入れた指示を基に赤外線発光部を発光させるための赤外線発光用信号を生成し、上記赤外線発光用信号を基に赤外線発光部を所定の周期で発光させて送信する赤外線信号送信装置と、上記赤外線信号送信装置から送信される赤外線信号を所定の電圧を有する操作信号に変換し、上記マイコンに出力する赤外線受光装置とから成るリモコン装置とを有するプロジェクタ装置において、
上記赤外線信号送信装置は、上記赤外線発光用信号を入力端子から受け入れるとともに、上記赤外線発光用信号の値に基づいて出力信号を出力する出力端子を切り替える制御用ＩＣと、上記制御用ＩＣの各出力端子と互いに異なる抵抗を解して上記赤外線発光部と接続する印加電圧切り替え部とから成り、上記赤外線発光部に出力する赤外線発光用信号の電圧値を上記操作キーの操作に基づいて切り替える発光強度調整回路を有し、上記ＥＥＰＲＯＭは、上記マイコンが受け入れた赤外線信号の強度を画面上で判定するための赤外線強度判定プログラムを記録し、上記マイコンは、上記赤外線強度判定プログラムを基に、上記発光強度調整回路により調整された赤外線信号を基に生成された操作信号をしきい値と比較し、上記操作信号が上記しきい値以上である場合は、上記赤外線受光装置が受け入れた赤外線信号を操作信号として判定するとともに、上記判定に対応させて、上記操作キーによる上記赤外線発光部の消費電力の調整を、画面上で視覚的に確認しながら実行できるよう赤外線強度判定画面を表示するよう指示を出す構成としてある。
【発明の効果】
【００２２】
以上説明したように本発明によれば、赤外線信号送信装置を様々姿勢で使用するユーザであっても、様々な姿勢に対応しつつ赤外線信号送信装置の消費電力を確実に低減できるよう設定することができるリモコン装置を提供することができる。
また請求項３にかかる発明によれば、判定方法を調整することができるので、ユーザの嗜好に合わせた消費電力の低減を行うことが可能となる。
そして請求項４にかかる発明によれば、ユーザは画面を見ながら消費電力の調整を行うので、適切な消費電力の低減を行うことが可能となる。
さらに請求項５にかかる発明によれば、判定音を基に消費電力の調整を行うことができるため、設定時における作業の迅速化を行うことができる。
また請求項６にかかる発明によれば、アッテネータを使用して回路を簡素化することができ、消費電力を多段階で調整する回路であっても基板のサイズを小さくするこができる。
さらに請求項１のような、より具体的な構成において、上述した請求項２〜請求項６の各発明と同様の作用を奏することはいうまでもない。
【発明を実施するための最良の形態】
【００２３】
本発明のリモコン装置の具体的な説明として、上記リモコン装置を使用するプロジェクタ装置を基に説明する。しかしながら、本発明のリモコン装置はプロジェクタ装置に限定されるものではなく、本発明のリモコン装置を応用できるものであれば適応可能である。  以下、下記の順序に従って本発明の実施形態を説明する。
（１）第一の実施の形態
（２）第一の実施の形態のまとめ
（３）第二の実施の形態
（４）第二の実施の形態のまとめ
（５）第三の実施の形態
（６）第三の実施の形態のまとめ
【００２４】
（１）第一の実施の形態
以下、図１〜図６を参照して、この発明に係るリモコン装置を搭載したプロジェクタ装置を具体化した第１の実施の形態について説明する。図１はプロジェクタ装置のブロック構成図である。プロジェクタ装置４０は、コンピュータ等の外部機器から入力された映像信号を光映像に変換してスクリーンに投射するためのものである。そのためプロジェクタ装置４０は、外部機器と接続して映像並びに音声信号を受け付ける入出力端子４１と、入出力端子４１からの入力された映像信号並びに音声信号に所定の信号処理を加えるとともに、各構成要素を制御する制御ブロック４３と、制御ブロック４３が信号処理を行った映像信号とランプからの光源を基に光映像を生成する光学系４２と、ユーザからの操作を受け付け赤外線信号を生成し、上記生成した赤外線信号を用いてプロジェクタ装置４０の遠隔操作を行うリモコン装置１０と、上述した各要素に電源を供給する電源回路４４と、音声を出力するためのスピーカ４５とを有する構成である。
【００２５】
プロジェクタ装置４０の概略的な機能の説明を以下に行う。入出力端子４１にパソコン等の外部機器を接続した状態でプロジェクタ装置４０を起動させると、制御ブロック４３は、入出力端子４１より入力された映像信号に所定の信号処理を行う。制御ブロック４３の構成としては、プロジェクタ装置４０の制御中枢となるマイコン４３ａと、マイコン４３ａが演算を行うためのプログラムが記録されたＥＥＰＲＯＭ４３ｂと、入出力端子４１から入力された映像信号に所定の信号処理を施す映像回路４３ｄと、画面上にメニュー画面等のＯＳＤ映像を表示する映像データを記録するＯＳＤ回路４３ｃ、入出力端子４１から入力された音声信号を基に音声を出力するための音声回路４３ｅとを有する構成である。
【００２６】
制御ブロック４３にて信号処理を施された映像信号は、光学系４２に送られＲＧＢの光源を基に光映像に変換され、図示しない投射レンズから光映像としてスクリーンに投射される。このときリモコン装置１０は、スクリーンへ投射された映像の切り替えや、スピーカ４５から出力される音声の音量の調整をユーザからの操作を受付け、赤外線信号を媒体としてプロジェクタ装置４０に指示を出す。上述した光学系４２や、電源回路４４の構成は周知技術であり、また、本発明の機能とは直接の関係を有さないためここではリモコン装置１０と制御ブロック４３を中心に以下具体的な説明を行う。
【００２７】
リモコン装置１０は、赤外線信号送信装置２０と赤外線受光装置３０とから構成されている。赤外線信号送信装置２０は、ユーザからの操作を受け付けてプロジェクタ装置４０を制御するための所定周期で発光する赤外線信号を出力する。赤外線受光装置３０は赤外線信号送信装置２０からの赤外線信号を受光し、受光した赤外線信号を操作対象装置であるプロジェクタ装置４０の制御ブロック４３が受け入れることのできる操作信号に変換する。図２はリモコン装置を表すブロック構成図である。赤外線信号送信装置２０は、上述した機能を実現するため、ユーザからの操作信号を受け付けて上記受け付けた操作を赤外線信号に変換して出力するため、ユーザからの押圧による操作を受け付ける操作パット１１と、操作パット１１が押圧されたことにより回路が導通し、所定のアナログ信号を出力するキー入出力部１２、キー入出力部１２から出力されたアナログ信号をディジタル信号に変換するアナログ／ディジタル変換回路１３と、アナログ／ディジタル変換回路１３からのディジタル信号を受けて後述する赤外線発光部１６を発光させるための赤外線発光用信号を出力する送信用マイコン１４と、送信用マイコン１４から出力された赤外線発光用信号の電圧値を、ユーザからの操作を受けて調整する発光強度調整回路１５（発光強度調整手段）と、赤外線受光装置３０に赤外線信号を出力する赤外線発光部１６とを有する構成である。
【００２８】
上述した構成によりユーザが例えば、プロジェクタ装置４０から投射された映像を切り替えるために、操作パット１１の画面切り替えが表示された操作キー１１ａを押圧すると、操作パット１１の押圧によりキー入出力部１２に形成された回路が導通し乾電池１００の起電力が分圧されてキー入出力部１２に印加される。キー入出力部１２の回路は、各操作パット１１の押圧に対応して乾電池１００からの電源電圧の分圧比を変化させ所定の電圧値を出力する。アナログ／ディジタル変換回路１３は、上述した電圧値を基にディジタル信号を生成し送信用マイコン１４に出力する。送信用マイコン１４は上記したディジタル信号を受けて、赤外線発光部１６を発光させるための赤外線発光用信号を生成する。送信用マイコン１４が生成する赤外線発光用信号は、赤外線発光部１６を３８ｋＨｚ付近で振幅変調するようハイ／ローを繰り返す。
【００２９】
発光強度調整回路１５は、ユーザからの操作を基に送信用マイコン１４から送信された赤外線発光用信号の電圧値を変更して、赤外線発光部１６の消費電力を調整するためのものである。図３は発光強度調整回路とそれに接続される赤外線発光部１６とを表す図である。同図より、発光強度調整回路１５は、赤外線発光部１６の消費電力を調整するために、操作パット１１の操作を用いたユーザからの指示を受け付け、上記指示に基づいて赤外線発光部１６に供給する電圧値を切り替えるための制御用ＩＣ１５ａと、制御用ＩＣ１５ａからの切り替え指示により、送信用マイコン１４から出力される赤外線発光用信号の電圧値を変化させる印加電圧切り替え部１５ｂとを有している。
【００３０】
本発明の実施の形態である制御用ＩＣ１５ａは、２本の入力端子１５ａ１、１５ａ２と４本の出力端子１５ａ３〜１５ａ６を有している。制御用ＩＣ１５ａ１の内部ロジックは、入力端子１５ａ１に送信用マイコン１４からの赤外線発光用信号が入力され、入力端子１５ａ２に操作パット１１の操作に基づくディジタル信号が入力されると、入力端子１５ａ２に入力されたディジタル信号の値に基づいて出力信号を出力端子１５ａ３〜１５ａ５のいずれかから出力する。さらに、出力端子１５ａ６から赤外線発光部１６を発光するためのスイッチ信号を出力端子１５ａ６から出力する。これにより、入力端子１５ａ２が受け付けた操作入力により、制御用ＩＣ１５ａから出力される出力信号の出力先を１５ａ３〜１５ａ５のいずれかに切り替え、印加電圧切り替え部１５ｂに出力する。そのため、操作パット１１およびキー入出力部１２は、発光強度調整回路１５による赤外線発光部の消費電力の調整量を選択する操作受付け手段を実現する。
【００３１】
印加電圧切り替え部１５ｂは、送信用マイコン１４から出力される赤外線発光用信号の電圧値を、制御用ＩＣ１５ａから出力される出力信号に基づいて変化させ赤外線発光部１６に供給するためのものである。印加電圧切り替え部１５ｂは、３つのｐｎｐトランジスタ１５ｂ１、１５ｂ２、１５ｂ３と、各トランジスタのエミッタ端子に接続した抵抗値の異なる抵抗Ｒ１、Ｒ２、Ｒ３とを有している。送信用マイコン１４の出力端子は、印加電圧切り替え部１５ｂの入力端子１５ｂ４と接続し、トランジスタ１５ｂ１、１５ｂ２、１５ｂ３の各コレクタ端子に赤外線発光用信号を供給する。また、トランジスタ１５ｂ１、１５ｂ２、１５ｂ３のベース端子は、制御用ＩＣ１５ａの出力端子１５ａ３、１５ａ４、１５ａ５と抵抗Ｒ１、Ｒ２、Ｒ３を解して接続し、制御用ＩＣ１５ａから出力される出力信号により、各トランジスタのコレクタ端子からエミッタ端子間を導通する。さらに、印加電圧切り替え部１５ｂの出力端子１５ｂ６は赤外線発光部１６の入力端子と接続し、抵抗Ｒ１、Ｒ２、Ｒ３の何れか一つに流れる電流によって生成される電圧値を赤外線発光部１６に印加する。
【００３２】
上述した機能により実現される発光強度調整回路１５の機能を説明する。操作パット１１の操作キー１１ａ、１１ｂ、１１ｃを操作することで送信される信号ａ、ｂ、ｃにより選択される制御用ＩＣ１５ａの出力端子を１５ａ３、１５ａ４、１５ａ５とする。また、各出力端子１５ａ３、１５ａ４、１５ａ５に接続する抵抗Ｒ１、Ｒ２、Ｒ３の値の大小を  Ｒ１＜Ｒ２＜Ｒ３
とする。赤外線発光用信号の電圧値により、ｐｎｐトランジスタ１５ｂ１、１５ｂ２、１５ｂ３に流れる電流は一定であるので、赤外線発光部１６に印加される電圧値は、抵抗Ｒ１、Ｒ２、Ｒ３に比例する。
【００３３】
図４は、操作キー１１ａ、１１ｂ、１１ｃを操作した際の赤外線発光部１６の消費電力を表すグラフである。いま、赤外線発光部１６に印加される電圧は抵抗Ｒ１、Ｒ２、Ｒ３の抵抗値に従い変化する。赤外線発光部１６の消費電力は、内部抵抗を同じとすれば同様に印加電圧の２条に比例する。このため、操作キー１１ａ〜１１ｃを操作して発光させた赤外線発光部１６の消費電力は、抵抗値の最も高いＲ３を介して発光したため消費電力が最も高くなる。そのため赤外線発光部１６の発光強度も抵抗Ｒ３を介して印加されたものが一番強い。逆に、操作キー１１ａを操作して発光させた赤外線発光部１６の消費電力が最も低く、発光強度も低くなる。
【００３４】
上述した構成により、発光強度調整回路１５は、送信用マイコン１４から送信された赤外線発光用信号の電圧を、抵抗値の異なるＲ１、Ｒ２、Ｒ３に選択出力し、赤外線発光部１６に印加される電圧値を変化させる。これにより、赤外線発光部１６の消費電力を調整することが可能となる。本発明の実施の形態では、操作パット１１並びにキー入出力部１２により操作受付け手段の機能を実現し、発光強度調整手段（回路）の調整を行う構成としている。これにより、赤外線信号送信装置２０は操作キーを配置し外観は通常と同じ形状となるので、外観の美観を損なわない。しかしながら、上記した操作受付け手段の機能を実現するために、セレクトスイッチを赤外線信号送信装置２０に新たに設け、ユーザからの操作を受け付けるものであってもよい。
【００３５】
次に、赤外線受光装置３０の説明を行う。赤外線受光装置３０は赤外線信号送信装置２０からの赤外線信号を受光してプロジェクタ装置４０の制御ブロック４３に操作信号を出力するためのものである。上記した機能を実現するために、赤外線受光装置３０は赤外線を受光して所定の電圧を生成する赤外線受光変換部２１と、赤外線受光変換部２１が生成する電圧信号を、マイコン４３ａが受信しやすいよう信号処理を行う信号処理部２２とを有している。また、信号処理部２２は、赤外線受光変換部２１が変換した操作信号の電圧値を基に送信された赤外線の強度の判定を行う機能を有している。
【００３６】
赤外線受光変換部２１は、赤外線信号を受光して所定の電圧値を発生させるためのものである。本発明の実施の形態での赤外線受光変換部２１はフォトトランジスタを使用して赤外線受光変換部２１の機能を実現している。また、信号処理部２２は、赤外線受光変換部２１が生成した電圧値を検波、さらには波形成形を行うとともに、赤外線信号が操作信号として受信できるかを判断する操作信号判定用ＩＣ２２ａを実装している。
【００３７】
マイコン４３ａは、上述した信号処理部２２から出力された操作信号を基にプロジェクタ装置４０を制御するための制御信号を生成しバス３１を用いて各回路に出力する。また、マイコン４３ａは、操作信号判定用ＩＣ２２ａが判定した赤外線信号の強度を基に、ユーザが赤外線信号送信装置２０側の赤外線発光用信号の強度を変更して消費電力を調整する際、視覚的に確認できるよう赤外線強度判定画面を表示するよう指示を出す。マイコン４３ａの上述した機能を実現するために、ＥＥＰＲＯＭ４３ｂは赤外線強度判定プログラムを記録している。また、赤外線強度判定画面は、ＯＳＤ回路４３ｃに記録されたデータを基に表示させるものとする。しかしながら、ＯＳＤ回路４３ｃを実装しない装置では、ＥＥＰＲＯＭ４３ｂなどの記録部にデータを記録しておくものであってもよい。これによりマイコン４３ａは操作信号判定手段と表示手段を実現する。
【００３８】
図５は、画面上に表示される赤外線強度判定画面を表す一例としての図である。同図より画面上には「受信良好」「受信不良」いずれかの文字列が表示されており、赤外線信号送信装置２０から送信される赤外線信号の強度に応じて画面上に上記２文字列のいずれかが表示されることとなる。上述した「受信良好」と「受信不良」の文字列はこれに限定されず、ユーザが画面上で赤外線発光部１６の消費電力の調整を視覚的に確認できるものであればよい。これによりユーザは画面を見ながら消費電力の調整を行うので、適切な消費電力の低減を行うことが可能となる。
【００３９】
以下にＥＥＰＲＯＭ４３ｂに記録される赤外線強度判定プログラムについて図６を基に説明を行う。図６は、ＥＥＰＲＯＭ４３ｂに記録される赤外線強度判定プログラムを表すフローチャートである。ユーザが赤外線信号送信装置２０の操作キーであるメニューキー１１ｄを操作すると、赤外線信号を介してマイコン４３ａに赤外線強度判定プログラムの読み出しが指示される。マイコン４３ａは赤外線信号送信装置２０から赤外線信号を媒体としての赤外線強度判定プログラムの読み出し指示を受けて、ＥＥＰＲＯＭ４３ｂに記録された赤外線強度判定プログラムを読み出し（ステップＳ１００）、赤外線受信状態判定モードを実行する（ステップＳ１１０）。
【００４０】
まずマイコン４３ａは、内部メモリ４３ａ１に記録されたデータの初期化を行う（ステップＳ１２０）。本発明の実施の形態としての内部メモリ４３ａ１は、赤外線強度を記録するメインメモリと、赤外線強度の判定結果を記録するデータメモリと、判定回数を記録するサブメモリとを有しており、マイコン４３ａは各メモリを０とすることで初期化を行う。次にマイコン４３ａは、操作キーの操作による、判定を行うためのデータとなる赤外線信号の数Ｎと、受光した赤外線信号を操作信号とみなすための受光可能本数Ｎｋの数を操作パット１１の操作により受け付ける（ステップＳ１３０）。本発明の実施の形態では、赤外線信号の受光強度の判定を、所定回受光した赤外線信号の内、受光可能本数の割合を基に判定を行う。このため、ユーザが赤外線信号送信装置２０の傾きを様々に変え、各傾き全てで受光可能であった発光強度での消費電力に調整することができる。また、場合によっては、受光可能本数Ｎｋの割合を下げて、消費電力の低減を優先することも可能である。上述した測定回数はユーザからの指示がなければ前回までの設定回数を測定回数Ｎとして設定する。
【００４１】
次に、マイコン４３ａは操作信号判定用ＩＣ２２ａから受信した操作信号の電圧値をマイコン４３ａのメインメモリに記録することにより赤外線発光強度を記録する（ステップＳ１４０）。赤外線受光変換部２１は受光した赤外線信号の強度に対応させた電圧値を出力するため、赤外線信号の強度を操作信号の電圧値に置換させている。このときメインメモリに記録される赤外線強度（操作信号の電圧値）は後述するしきい値との比較を行い易くするため所定ビットのディジタル信号により記録される。
【００４２】
次にマイコン４３ａは、サブメモリに１を加える（ステップＳ１５０）。また、マイコン４３ａは、メインメモリに記録された赤外線強度を所定のしきい値電圧Ｔ１と比較する（ステップＳ１６０）。赤外線強度がＴ１以上であれば、データメモリに１を加える（ステップＳ１７０）。逆に赤外線強度がＴ１以下であればデータメモリになにも加えない（ステップＳ１８０）。次に、マイコン４３ａは現在の判定回数Ｎｘが予め決定された測定回数Ｎ以上であるかどうかを判定する（ステップＳ１９０）。上述した測定回数の判定方法は、サブメモリを参照することで実行する。今、判定回数Ｎｘ＝１なので、マイコン４３ａはステップＳ１４０に戻り上記した判定を判定回数がＮ以上となるまで繰り返す。
【００４３】
こうしてマイコン４３ａのサブメモリの値がＮになるまで上述したステップＳ１４０〜ステップＳ１９０までのフローを実行する。ステップＳ１９０で判定回数Ｎｘ＝Ｎとなれば、マイコン４３ａはデータメモリに記録されたデータＤｍをしきい値Ｔ２と比較する（ステップＳ２００）。判定方法としてはデータメモリに記録された複数ビットの値をしきい値Ｔ２の値と比較することにより判定を行う。具体的な例として、ステップＳ１３０にて６回測定して５回まで操作信号として判定されたものを操作信号とみなすと設定した場合では、しきい値Ｔ２を二進数表記で０１１（十進数表記で４）とし、上記値をサブメモリの値と比較する。このとき、サブメモリの値が二進数表記で１００（十進数表示で５）以上であればよい。上述したように、しきい値Ｔ２と判定回数Ｎ、さらには受光可回数Ｎｋの割合はユーザ側で赤外線送信装置２０の操作パット１１の操作により可変することが可能である。このようにしてステップＳ２００で判定したデータメモリの値Ｄｍ＞Ｔ２であるならば、マイコン４３ａはＯＳＤ回路４３ｃに「受信良好」の文字列を表示するよう指示を出す（ステップＳ２１０）。逆にＤｍ＜Ｔ２ならば、マイコン４３ａはＯＳＤ回路４３ｃに「受信不良」の文字列を表示するよう指示を出す。
【００４４】
上述したマイコン４３ａによる制御を用いた赤外線信号送信装置２０での消費電力の調整方法を説明する。まず、赤外線信号送信装置２０のメニューキー１１ｄを操作して、赤外線受信状態判定モードを起動する。次に、メニューキー１１ｄを設定された回数Ｎ回だけ押して、画面に受光状態を表示する。画面上に「受信良好」の文字が表示されていれば、現在の赤外線強度で十分受光可能であるため、赤外線信号送信装置２０側の発光強度調整回路１５を操作キー１１ａ、１１ｂ、１１ｃのいずれかを操作して消費電力を下げるよう調整する。さらに、プロジェクタ装置４０に向けて、赤外線信号を設定回数Ｎだけ送信して再度消費電力の調整を行う。逆に画面上で「受光不良」の文字列が表示されれば、今の赤外線信号の強度では操作信号と判定されないため、操作キー１１ａ、１１ｂ、１１ｃを操作し発光強度調整回路１５を調整し消費電力を上げることで赤外線信号の強度を上げる。
【００４５】
上述した例では、発光強度調整回路１５の調整段階が３段階であるため、一段階から二段階のみの消費電力の低減としている。しかしながら、発光強度調整回路１５の消費電力の低減回数を多段となるよう回路構成にした場合では、上述した操作キー１１ａ、１１ｂ、１１ｃを用いた調整は画面上に「受信良好」の文字列が「受信不良」に変化するまで行うことが可能となり、より一層の調整を可能とすることができる。
【００４６】
（２）第一の実施の形態のまとめ
以上説明したように、赤外線信号送信装置２０の傾き角を様々に変化させて、全ての傾き角に対応できる赤外線信号の強度になるよう調整を行えば、ユーザが赤外線信号送信装置２０を予め判定させた角度内で使用しても、プロジェクタ装置４０は赤外線信号を操作信号と判定する。そのため、消費電力の調整段階での、赤外線送信装置２０の傾き各に影響を受けることなく設定を行うことが可能となる。このことは、ユーザ側が赤外線信号送信装置２０の使用状態の自由度を阻害しない。さらには、赤外線送信装置側にデータを受信するための余分な装置を持たないので、消費電力をより一層低減させることが可能となる。
【００４７】
（３）第二の実施の形態
上述した第一の実施の形態では、赤外線強度判定画面を用いて視覚的に赤外線強度の調整を確認した。しかしながら、プロジェクタ装置４０の音声出力を利用して赤外線信号の強度を判定するものであってもよい。プロジェクタ装置４０は光学系４２を用いて映像を投射している。しかしながら光学系４２は映像を投射するまでに時間が掛かるため、判定結果を知るまで時間が掛かる場合がある。そのため、プロジェクタ装置４０から映像を投射させずスピーカ４５から出力される確認音のみで赤外線信号の受光状態を確認すれば、時間の無駄を省くことが可能となる。さらには、赤外線信号送信装置２０とプロジェクタ装置４０との距離が比較的遠い場合には、ユーザは画面上に表示された赤外線強度判定画面を認識できない場合も存在する。このような場合でも、スピーカ４５から発せられる音声により確認を行うことで、判断を確実に行うことが可能となる。
【００４８】
図７は第二の実施の形態での赤外線強度判定プログラムのフローチャートである。同図より、ステップＳ３００〜ステップＳ４００までは、マイコン４３ａは図６にて説明した赤外線強度判定プログラムと同様の処理を実行するため、ステップＳ４００以降の説明のみを行う。図７のステップＳ４００にてマイコン４３ａのデータメモリＤｍに記録された値をしきい値Ｔ２と比較し、判定結果がしきい値Ｔ２以上であるならばマイコン４３ａは音声回路４３ｅに所定の判定音１を出力するよう指示を出す（ステップＳ４１０）。また、Ｄｍがしきい値Ｔ２以下であるならば、マイコン４３ａは音声回路４３ｅに所定の判定音２を出力するよう指示を出す（ステップＳ４２０）。上述した判定音１と判定音２はユーザが区別ができるよう異なった音を発生させることが望ましい。また、判定音１と判定音２のデータはＥＥＰＲＯＭ４３ｂに記録されたデータをマイコン４３ａが読み取るものであってもよいし、音声回路４３ｅが予め記録するものであってもよい。
【００４９】
（４）第二の実施の形態のまとめ
上述したように、プロジェクタ装置４０が赤外線信号送信装置２０から送信された赤外線信号を操作信号として判定したことを判定音の出力にて表示することで、判定結果を知るまでの時間を短くすることが可能となり時間の無駄を省くことが可能となる。さらには、赤外線信号送信装置２０とプロジェクタ装置４０との距離が遠く、ユーザが画面を確認できない場合においても音声による確認により消費電力の調整を確実に判定することが可能となる。
【００５０】
（５）第三の実施の形態
第一の実施の形態では赤外線信号送信装置２０の発光強度調整手段を図３に示すよう制御用ＩＣ１５ａとアナログ素子を用いて構成していた。しかしながら、発光強度調整手段の構成を制御用ＩＣとアッテネータ（減衰器）を用いて構成してもよい。アッテネータは入力端子を介して送信用マイコン１４から入力された赤外線発光用信号の電圧値を減衰させて出力するためのものである。アッテネータを使用することで、赤外線信号送信装置２０の発光強度調整回路１５の構成をアナログ素子にて構成するのに比べ簡素化でき、実装するプリント基板を小さくすることができる。また、アッテネータは多段階に電圧値を減衰する機能を有するため、赤外線発光部１６の消費電力の調整を多段階で行いたい場合には基板の大きさを小さくするために非常に有効である。
【００５１】
図８は、アッテネータを使用した発光調整回路の構成を表す図である。同図より、アッテネータ５０は、入力端子５０ａを送信用マイコン１４の出力端子と接続し、入力端子５０ｂを制御用ＩＣ１５ａの出力端子１５ａ８と接続する。さらに、出力端子５０ｃを赤外線発光部１６と抵抗Ｒ４を介して接続する。これにより、制御用ＩＣ１５ａの出力端子１５ａ８から送信された制御信号と、送信用マイコン１４から出力された赤外線発光用信号がアッテネータ５０の入力端子５０ａ、５０ｂにそれぞれ出力されると、出力端子５０ｃから減衰された赤外線発光用信号が赤外線発光部１６に出力される。このとき、制御用ＩＣ１５ａの内部ロジックは、操作受付け手段としての操作パット１１、キー入出力部１２、並びにアナログ／ディジタル変換回路１３を介して出力されるディジタル信号の値に基づいてアッテネータ５０に出力する出力電圧の値を変更する。これによりアッテネータ５０は、制御用ＩＣ１５ａからの出力電圧を受けて、上記受信した出力電圧の値に対応する減衰比にて送信用マイコン１４から出力される赤外線発光用信号の電圧値を変更する。
【００５２】
（６）第三の実施の形態のまとめ
以上説明したように、この実施の形態に係るリモコン装置によれば、アッテネータを用いて消費電力を調整する発光調整回路を構成するため、消費電力を多段にて調整する回路では回路構成を小さくすることで実装する基板の大きさを小さくすることが可能となる。このことは、赤外線信号送信装置２０自体の大きさをコンパクトにする効果がある。
【００５３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５４】
【図１】プロジェクタ装置のブロック構成図である。
【図２】リモコン装置を表すブロック構成図である。
【図３】発光強度調整回路とそれに接続される赤外線発光部とを表す図である。
【図４】操作キーを操作した際の赤外線発光部の消費電力を表すグラフである。
【図５】画面上に表示される赤外線強度判定画面を表す図である。
【図６】ＥＥＰＲＯＭに記録される赤外線強度判定プログラムを表すフローチャートである。
【図７】第二の実施の形態での赤外線強度判定プログラムのフローチャートである。
【図８】アッテネータを使用した発光調整回路の構成を表す図である。
【図９】従来のリモコン装置と受信側のブロック構成図である。
【図１０】赤外線信号送信装置の傾き角に関係して受信側に受光される赤外線信号の放射強度を表す図である。
【符号の説明】
【００５５】
１０…リモコン装置、１１…操作パット、１１ａ、１１ｂ、１１ｃ…操作キー、１１ｄ…メニューキー、１２…キー入出力部、１３…ディジタル変換回路、１４…送信用マイコン、１５…発光強度調整回路、１５ａ１、１５ａ２…入力端子、１５ａ３、１５ａ４、１５ａ５、１５ａ６、１５ａ７、…出力端子、１５ｂ１、１５ｂ２、１５ｂ３…トランジスタ、１６…赤外線発光部、２０…赤外線信号送信装置、２１…赤外線受光変換部、２２…信号処理部、３０…赤外線受光部、３１…バス、４０…プロジェクタ装置、４１…入出力端子、４２…光学系、４３…制御ブロック、４３ａ…マイコン、４３ｂ…ＥＥＰＲＯＭ、４３ｃ…ＯＳＤ回路、４３ｄ…映像回路、４３ｅ…音声回路、４３ａ１…内部メモリ、４４…電源回路、４５…スピーカ、５０…アッテネータ、５０ａ…入力端子、５０ｂ…入力端子、５０ｃ…出力端子、１００…乾電池
【図１】
2008066774.tif 000003
【図２】
2008066774.tif 000004
【図３】
2008066774.tif 000005
【図４】
2008066774.tif 000006
【図５】
2008066774.tif 000007
【図６】
2008066774.tif 000008
【図７】
2008066774.tif 000009
【図８】
2008066774.tif 000010
【図９】
2008066774.tif 000011
【図１０】
2008066774.tif 000012